(57)【特許請求の範囲】
【請求項１】
キャリヤ側のトラフの下面にコンベア長手方向に延びる空気ダクトを設けると共に、前記トラフに前記空気ダクトに連通する空気孔をコンベア長手方向に沿って列設し、空気ダクトより供給した空気をトラフの空気孔より上向きに噴出し、それによりトラフ上を移動するベルトに浮上力を与える空気浮上式ベルトコンベアにおいて、
前記キャリヤ側トラフに対する空気ダクトを、上流側からの荷を受けるローディング部に対応したブロックと、それ以外の一般部に対応したブロックとに分割し、各ブロックの空気ダクトにそれぞれ独立した空気供給管を接続し、前記ローディング部の空気ダクトから延びる空気供給管を高圧ブロワに接続し、一般部の空気ダクトから延びる空気供給管を低圧ブロワに接続したことを特徴とする空気浮上式ベルトコンベア。
【請求項２】
キャリヤ側のトラフの下面にコンベア長手方向に延びる空気ダクトを設けると共に、前記トラフに前記空気ダクトに連通する空気孔をコンベア長手方向に沿って列設し、空気ダクトより供給した空気をトラフの空気孔より上向きに噴出し、それによりトラフ上を移動するベルトに浮上力を与える空気浮上式ベルトコンベアにおいて、
前記キャリヤ側トラフに対する空気ダクトを、上流側からの荷を受けるローディング部に対応したブロックと、それ以外の一般部に対応したブロックとに分割し、各ブロックの空気ダクトにそれぞれ独立した空気供給管を接続し、前記ローディング部の空気ダクトから延びる空気供給管と、一般部の空気ダクトから延びる空気供給管とを同じブロワに接続すると共に、少なくとも一般部の空気ダクトから延びる空気供給管に該空気供給管を流れる空気の圧力を下げるバルブを設けたことを特徴とする空気浮上式ベルトコンベア。
【発明の詳細な説明】
【０００１】
【発明の属する技術分野】
本発明は、鉱石や石炭等のばら物を搬送するベルトコンベアであって、ベルトを空気層によって浮上させた状態で走行させる空気浮上式ベルトコンベアに関する。
【０００２】
【従来の技術】
鉱石や石炭等のばら物を搬送するベルトコンベアとして、近年、ばら物を載せるベルトを断面円弧状のトラフによって支持し、該トラフ上に形成した空気層によってベルトを浮上させながら走行させる空気浮上式ベルトコンベアが提案されている。
【０００３】
図３、図４は空気浮上式ベルトコンベアの一例を示す。図３において、ループ状のベルト１は、両端のプーリ２、３に巻回されて周回走行する。このベルトコンベアは、図４に詳細を示すように、ベルト１を支持するキャリヤ側及びリターン側の断面円弧状のトラフ１２、１３の幅方向中央に長手方向に沿って多数の空気孔１７を列設すると共に、各トラフ１２、１３の下面に、各空気孔７に連通する空気ダクト１６を設け、空気ダクト１６にブロワ１８から空気を送り込むことで、各トラフ１２、１３の空気孔１７より上向きに空気を噴出させ、それによりベルト１とトラフ１２、１３の間に空気層を形成して、トラフ１２、１３上を移動するベルト１を浮上させるようにしたものである。なお、トラフ１２、１３はコンベアフレーム１４に固定されている。また、ブロワ１８と空気ダクト１６をつなぐ空気供給管の途中には、空気孔１７から噴出させる風量をコントロールする流量コントロールバルブ１９が介在されている。
【０００４】
この空気浮上式ベルトコンベアは、上記の構成により、ローラ式ベルトコンベアに比べて、ベルトに作用する抵抗を大幅に低減することができ、駆動負担を軽減できる。また、ローラを無くしたことで、騒音や振動を少なくできる利点がある。
【０００５】
【発明が解決しようとする課題】
ところで、キャリヤ側について見てみると、上流側からの荷を受けるローディング部Ｌでは、荷の落下による衝撃荷重が作用するため、他の一般部に比べてベルト１にかかる荷重が大きい。しかし、上記従来の空気浮上式ベルトコンベアでは、図３に示すように、コンベア全長に亘って同じ空気ダクト１６から空気を吹き出させるようにしているので、ローディング部Ｌで荷重に見合った圧力の空気を吹き出すことができず、この部分で、ベルト１とトラフ１２の接触率の増加による摩耗が生じやすく、また、接触率の増加により駆動負担も増すという問題があった。
【０００６】
本発明は、上記事情を考慮し、ローディング部でのベルトとトラフの接触率を低減して、摩耗の問題や駆動負担の増加の問題を解消できるようにした空気浮上式ベルトコンベアを提供することを目的とする。
【０００７】
【課題を解決するための手段】
前記課題を解決するため、本発明の空気浮上式ベルトコンベアは、キャリヤ側のトラフの下面にコンベヤ長手方向に延びる空気ダクトを設けると共に、前記トラフに前記空気ダクトに連通する空気孔をコンベア長手方向に沿って列設し、空気ダクトより供給した空気をトラフの空気孔より上向きに噴出し、それによりトラフ上を移動するベルトに浮上力を与える空気浮上式ベルトコンベアにおいて、前記キャリヤ側トラフに対する空気ダクトを、上流側からの荷を受けるローディング部に対応したブロックと、それ以外の一般部に対応したブロックとに分割し、各ブロックの空気ダクトにそれぞれ独立した空気供給管を接続したことを特徴とする。
すなわち、ローディング部では、ローディング部にかかった落下衝撃荷重の大きさに見合った圧力の空気がローディング部専用の空気ダクトから供給されるので、ローディング部においても一般部と同様に、ベルトをトラフより十分に浮上させながら走行させることが可能となり、ベルトとトラフの接触率を低減して、摩耗の軽減と駆動力の低減を図ることができる。
【０００８】
ここで、前記ローディング部の空気ダクトから延びる空気供給管を高圧ブロアに接続し、また、一般部の空気ダクトから延びる空気供給管を低圧ブロアに接続するという構成とすることにより、高圧と低圧の２種類のブロアを用いてローディング部と一般部での荷重の違いに対応することが可能となる。さらに、前記ローディング部の空気ダクトから延びる空気供給管と、一般部の空気ダクトから延びる空気供給管とを同じブロワに接続すると共に、少なくとも一般部の空気ダクトから延びる空気供給管に該空気供給管を流れる空気の圧力を下げるバルブを設けるという構成にすれば、そのバルブを用いることにより１種類のブロワだけで前述の２種類のバルブと同じ効果を得ることが可能となる。
【０００９】
【発明の実施の形態】
以下、本発明の実施形態を図面に基づいて説明する。
図１は実施形態のベルトコンベアの概略構成図である。このベルトコンベアでは、キャリヤ側トラフ１２の下側に設けた空気ダクトを、上流側からの荷を受けるローディング部Ｌに対応したブロックと、それ以外の一般部に対応したブロックとに分割し、各ブロックの空気ダクト１６、１６Ａ、１６Ｂにそれぞれ独立した空気供給管２０Ａ、２０Ｂを接続し、前者の空気供給管２０Ａを流量コントロールバルブ１９Ａを介して高圧ブロア１８Ａに接続し、後者の空気供給管２０Ｂを流量コントロールバルブ１９Ｂを介して低圧ブロワ１８Ｂに接続している。
【００１０】
なお、リターン側の空気ダクト１６については分割する必要がないので、従来例と同様にし、流量コントロールバルブ１９Ｃを介して低圧ブロワ１８Ｂに接続している。また、その他の構成についても、同符号で示す部分については従来例と同様にしてある。
この図１中、符号２５は搬入コンベアを示しており、空気浮上式コンベアへの投入口には粉塵飛散防止のためのカバー２６が設けられている。
【００１１】
そして、上記のように構成された空気浮上式ベルトコンベアにおいては、ベルト１を周回走行させながら、空気ダクト１６Ａにはブロワ１８Ａから、また、空気ダクト１６、１６Ｂにはブロワ１８Ｂから、空気を供給すると、各空気ダクト１６、１６Ａ、１６Ｂの空気孔１７から各トラフ１２、１３の上面に噴出した空気が、該トラフ１２、１３とその上を走行するベルト１との間を通ってトラフ１２、１３の湾曲面に沿ってベルト１の幅方向両端に向けて案内され、該幅方向両端から大気中に放出される。これによってベルト１とこれを支持するトラフ１２、１３との間にそれぞれ空気層が形成されることになり、ベルト１はトラフ１２、１３に対して非接触状態となって騒音や振動を生じることなく円滑に走行することになる。
【００１２】
この場合、上流側からの荷の落下衝撃荷重の加わるローディング部Ｌの空気ダクト１６Ａに高圧ブロア１８Ａを接続しているので、一般部より高圧の空気を送り込むことができる。従って、落下荷重を十分に支えることができ、ローディング部Ｌにおけるベルト１とトラフ１２の接触を軽減して、ベルト１とトラフ１２の摩耗の軽減及びベルト駆動力の軽減が図れる。
【００１３】
図２は本発明の他の実施形態を示している。この空気浮上式ベルトコンベアでは、ローディング部Ｌの空気ダクト１６Ａから延びる空気供給管２０Ａと、一般部の空気ダクト１６Ｂから延びる空気供給管２０Ｂとを同じ高圧ブロア１８に接続すると共に、一般部側の空気供給管２０Ｂに設けた流量コントロールバルブ２９Ｂで空気の供給圧を下げるようにしている。リターン側の空気ダクト１６も、同じブロア１８に接続し、流量コントロールバルブ２９Ｃで供給圧を下げるようにしている。これにより、一般部とローディング部Ｌのいずれにおいてもベルトに対して適正な浮上力を与えることができ、第１の実施形態と同様の効果が得られる。
【００１４】
なお、図２の例では、流量コントロールバルブ２９Ｂ、２９Ｃで一般部向けの供給圧を落とすようにしているが、一般部やリターン側トラフの空気孔径を、ローディング部のトラフの空気孔径より絞り込んだ大きさにして、空気抵抗を大きくすることにより、吹き出し空気圧を低圧側に調整することも可能である。
【００１５】
【発明の効果】
以上説明したように、本発明の空気浮上式ベルトコンベアによれば、ローディング部の空気ダクトの供給圧を落下衝撃荷重に見合った大きさに調整することができる。従って、ローディング部においても、ベルトをトラフより十分に浮上させながら走行させることができ、ベルトとトラフの接触率を低減して、摩耗の軽減と駆動力の低減を図ることができる。この場合、高圧と低圧の２種類のブロアを用いることにより、ローディング部と一般部での荷重の違いに対応することが可能となる。また、前記ローディング部の空気ダクトから延びる空気供給管と、一般部の空気ダクトから延びる空気供給管とを同じブロワに接続すると共に、少なくとも一般部の空気ダクトから延びる空気供給管に該空気供給管を流れる空気の圧力を下げるバルブを設けるという構成にすれば、そのバルブを用いることにより１種類のブロワだけで前述の２種類のバルブと同じ効果を得ることが可能となる。
【図面の簡単な説明】
【図１】  本発明の実施形態の空気浮上式ベルトコンベアの概略構成を示す側面図である。
【図２】  本発明の他の実施形態の空気浮上式ベルトコンベアの概略構成を示す側面図である
【図３】  従来の空気浮上式ベルトコンベアの概略構成を示す側面図である。
【図４】  従来の空気浮上式ベルトコンベアの断面斜視図である。
【符号の説明】
１  ベルト
１２  キャリヤ側のトラフ
１６Ａ  ローディング部の空気ダクト
１６Ｂ  一般部の空気ダクト
１７  空気孔
２０Ａ，２０Ｂ  空気供給管
１９Ａ，１９Ｂ，１９Ｃ，２９Ｂ，２９Ｃ  流量コントロールバルブ
【図１】
0003909142.tif 000002
【図２】
0003909142.tif 000003
【図３】
0003909142.tif 000004
【図４】
0003909142.tif 000005